(57)【要約】【課題】ワンルーム賃貸住宅等、延床面積の小さい住宅のベランダや外廊下に置かれていた洗濯機を部屋の中に置いても、部屋を広く使えることを可能とした使い勝手のよいミニキッチン構造を提供する。【解決手段】ミニキッチン１は、そのキャビネット本体６の内部が仕切り板１０で食品又はキッチン用品収納室９Ａと洗濯機収容室９Ｂとに仕切られていて、洗濯機収容室９Ｂには、その底板としてキッチン床面に置かれる洗濯機設置台１１が設けられ、この洗濯機設置台１１の上に洗濯機Ｗが置かれる。洗濯機Ｗを使用するときは、キャビネット本体６の扉７Ｌを開き、洗濯機収容室９Ｂから当該洗濯機Ｗを引き出して使用する。洗濯が済んだら、当該洗濯機Ｗを洗濯機収容室９Ｂへ押し戻して扉７Ｌを閉めておく。【選択図】図１
0003148951.tif 000002
【実用新案登録請求の範囲】
【請求項１】
加熱調理機器、シンク及び水栓を備えたカウンタートップと、
前記カウンタートップの下面側に設けられるキャビネット本体と、
前記キャビネット本体の正面に開閉可能に取り付けられる左右の扉と、
前記左右の扉の閉合せ部を境にして前記キャビネット本体の内部を食品又はキッチン用品収納室と洗濯機収容室とに仕切る仕切り板と、
前記洗濯機収容室の底板としてキッチン床面に置かれ、前記洗濯機収容室から扉の外へ引き出し可能に設けた洗濯機設置台とからなること
を特徴とするミニキッチン構造。
【請求項２】
前記洗濯機収容室から扉の外へ前記洗濯機設置台をスライドにより引き出し可能とするスライド手段を備えること
を特徴とする請求項１に記載のミニキッチン構造。
【請求項３】
前記洗濯機設置台の裏面に設置された戸車を有すること
を特徴とする請求項１に記載のミニキッチン構造。
【請求項４】
前記洗濯機収容室から扉の外へ前記洗濯機設置台をスライドにより引き出し可能とするスライド手段と、
前記洗濯機設置台の裏面に設置される戸車と、を備え、
前記洗濯機設置台上に設置される洗濯機の重量を前記戸車で受けることによって、前記スライド手段に加わる前記洗濯機の重量負荷を軽減すること
を特徴とする請求項１に記載のミニキッチン構造。
【請求項５】
前記スライド手段は、前記仕切り板とこれに対向する前記キャビネット本体の側板とに設けられた一対のレールと、前記洗濯機設置台の両側面に取り付けられて前記レールにスライド可能に嵌合するガイドとからなること
を特徴とする請求項２又は４に記載のミニキッチン構造。
【請求項６】
前記洗濯機設置台は、プレートの周囲に枠を一体に形成してなる構造であって、その枠の内側に洗濯機からの漏水を捕集する防水パンとしての機能を備えること
を特徴とする請求項１に記載のミニキッチン構造。
【請求項７】
前記仕切り板には、前記水栓の配管部から前記洗濯機収容室に給水ホースを導くための貫通孔を形成してあること
を特徴とする請求項１に記載のミニキッチン構造。
【請求項８】
前記洗濯機収容室は、３．３ｋｇ仕様の全自動洗濯機を収容できる大きさであること
を特徴とする請求項１に記載のミニキッチン構造。
【請求項９】
前記カウンタートップの上方に、吊り戸棚と水切り棚の双方またはいずれか一方が設けられること
を特徴とする請求項１に記載のミニキッチン構造。
【考案の詳細な説明】
【技術分野】
【０００１】
本考案は、例えばワンルーム賃貸住宅等のように延床面積が小さい住宅に設置されるミニキッチンの構造に関し、特に、そのような延床面積の小さい住宅のベランダや外廊下に置かれていた洗濯機を部屋の中に置いても邪魔にならず、部屋を広く使えることを可能とした使い勝手のよいミニキッチン構造に関する。
【背景技術】
【０００２】
従来のワンルーム賃貸住宅は占有面積が少ないため、洗濯機は当該住宅の外廊下やベランダなど室外に設置することが多かった。そのため、風雨の日は洗濯ができず、また夜間の洗濯音が近所迷惑になる等の問題点があった。
【０００３】
この一方、かかる洗濯機をワンルーム賃貸住宅の部屋内に設置するとしたら、かなりの設置スペースが必要となり、このような洗濯機の設置スペースにより部屋内の居住スペースが削られてしまい、部屋を広く使うことができないという問題点が生じる。
【考案の開示】
【考案が解決しようとする課題】
【０００４】
本考案は上述の問題点を解決するためになされたもので、その目的とするところは、ワンルーム賃貸住宅等、延床面積の小さい住宅のベランダや外廊下に置かれていた洗濯機を部屋の中に置いても、部屋を広く使えることを可能とした使い勝手のよいミニキッチン構造を提供することにある。
【課題を解決するための手段】
【０００５】
前記目的を達成するために、本考案は、加熱調理機器、シンク及び水栓を備えたカウンタートップと、前記カウンタートップの下面側に設けられるキャビネット本体と、前記キャビネット本体の正面に開閉可能に取り付けられる左右の扉と、前記左右の扉の閉合せ部を境にして前記キャビネット本体の内部を食品又はキッチン用品収納室と洗濯機収容室とに仕切る仕切り板と、前記洗濯機収容室の底板としてキッチン床面に置かれ、前記洗濯機収容室から扉の外へ引き出し可能に設けた洗濯機設置台とからなることを特徴とする。
【０００６】
前記本考案においては、前記洗濯機収容室から扉の外へ前記洗濯機設置台をスライドにより引き出し可能とするスライド手段を備えてもよい。
【０００７】
前記本考案においては、前記洗濯機設置台の裏面に設置された戸車を有する構成を採用してもよい。
【０００８】
また、前記本考案においては、前記洗濯機収容室から扉の外へ前記洗濯機設置台をスライドにより引き出し可能とするスライド手段と、前記洗濯機設置台の裏面に設置される戸車と、を備え、前記洗濯機設置台上に設置される洗濯機の重量を前記戸車で受けることによって、前記スライド手段に加わる前記洗濯機の重量負荷を軽減するように構成してもよい。スライド手段を保護するためである。
【０００９】
前記本考案において、前記スライド手段は、前記仕切り板とこれに対向する前記キャビネット本体の側板とに設けられた一対のレールと、前記洗濯機設置台の両側面に取り付けられて前記レールにスライド可能に嵌合するガイドとからなる構成を採用することができる。
【００１０】
前記本考案において、前記洗濯機設置台は、プレートの周囲に枠を一体に形成してなる構造であって、その枠の内側に洗濯機からの漏水を捕集する防水パンとしての機能を備えるように構成してもよい。
【００１１】
前記本考案において、前記仕切り板には、前記水栓の配管部から前記洗濯機収容室に給水ホースを導くための貫通孔を形成することができる。
【００１２】
前記本考案において、前記洗濯機収容室は、３．３ｋｇ仕様の全自動洗濯機を収容できる大きさであってもよい。
【００１３】
前記本考案においては、前記カウンタートップの上方に、吊り戸棚と水切り棚の双方またはいずれか一方が設けられるように構成してもよい。
【考案の効果】
【００１４】
本考案にあっては、ミニキッチンの具体的な構造として、キャビネット本体の内部を仕切り板で２室、すなわち食品又はキッチン用品収納室と洗濯機収容室とに仕切り、その洗濯機収容室に洗濯機設置台を置いて洗濯機を収容する構造を採用した。このため、従来のワンルーム賃貸住宅等、延床面積の小さい住宅のベランダや外廊下に置かれていた洗濯機は、本ミニキッチンの中にすっきりと収まった形で部屋の中に置かれるから、洗濯機を部屋の中に置いても、部屋を広く使うことができる使い勝手のよいミニキッチン構造を提供し得る。
【００１５】
また、本考案によると、扉を閉めることによって、洗濯機収容室の洗濯機は隠れて外部から見えなくなるから、一見すると普通のキッチンのような見栄えになり、洗濯機の存在が圧迫感を与えたり、ミニキッチン全体の見栄えを害したりすることもなく、すっきりしたデザインのミニキッチンを提供し得るという作用効果も奏する。
【考案を実施するための最良の形態】
【００１６】
以下、本考案を実施するための最良の形態について、添付した図面を参照しながら詳細に説明する。
【００１７】
図１は、本考案のミニキッチン構造を適用したミニキチン（左右の扉を開いた状態）の一実施形態を示す透視図、図２は、図１のミニキッチンにおいて左右の扉を閉じた状態の説明図、図３は、図１のミニキッチンに洗濯機を収容する前の状態の説明図、図４は図１のミニキッチンを構成するキャビネットの正面断面図である。
【００１８】
図１の本ミニキッチン１は、加熱調理機器２、シンク３及び水栓４を備えたカウンタートップ５と、カウンタートップ５の下面側に設けられるキャビネット本体６と、キャビネット本体６の正面に開閉可能に取り付けられる左右の扉７Ｒ、７Ｌと、左右の扉７Ｒ、７Ｌの閉合せ部８（図２参照）を境にしてキャビネット本体６の内部を食品又はキッチン用品収納室９Ａと洗濯機収容室９Ｂとに仕切る仕切り板１０と、洗濯機収容室９Ｂの底板としてキッチン床面Ｆ（図３、図４参照）に置かれ、洗濯機収容室９Ｂから扉７Ｌの外へ引き出し可能に設けた洗濯機設置台１１と、洗濯機収容室９Ｂから扉７Ｌの外へ洗濯機設置台１１をスライドにより引き出し可能とするスライド手段１２（図４参照）と、洗濯機設置台１１の裏面に設置される戸車１５と、を含んで構成される。
【００１９】
加熱調理機器２については、２口タイプ又は１口タイプのＩＨヒーターを採用しているが、必要に応じてガスコンロを採用することもできる。
【００２０】
カウンタートップ５は、ＳＵＳ３０４等の錆に強いステンレスや、人造大理石で形成したもの等を採用することができる。カウンタートップ５の間口サイズ（左右方向の幅）は９００ｍｍ〜１５００ｍｍの範囲内において、例えば９００ｍｍ、１０５０ｍｍ、１２００ｍｍ、１５００ｍｍの中から必要に応じて適宜選択することができる。
【００２１】
カウンタートップ５は、このカウンタートップ５から上方に立ち上がっている左右の側板５Ａ、５Ｂと背板５Ｃで囲まれていて、左右の側板５Ａ、５Ｂの正面上部には天板５Ｄが取り付けられている。なお、前記左右の側板５Ａ、５Ｂと背板５Ｃは、後述するキャビネット本体６の左右の側板６Ａ、６Ｂ、背板６Ｃと一体の構造でも分離可能な構造でもよいが、本実施形態では分離可能な構造を採用した。これは、カウンタートップ５を境にしてミニキッチン１を上下に分割可能とすることで、ミニキッチン１の搬送・設置の作業性向上を図るためである。
【００２２】
シンク３は、一人住まいのワンルーム等に適したコンパクト仕様になっている。このシンク３は、錆に強いＳＵＳ３０４のステンレスで形成されており、また、手入れがしやすいようにするため、このシンク３の表面には鏡面仕上げを施している。さらに、このシンク３の下面には、ゴミ収集機能と防臭機能付きの排水装置（図示省略）を設けている。
【００２３】
水栓４については、図１のような２バルブ仕様の混合水栓を採用できるほか、図示は省略するが、周知のシングルレバー形式の混合水栓を採用することもできる。
【００２４】
キャビネット本体６は、図４に示したように左右の側板６Ａ、６Ｂ、背板６Ｃ、及び底板６Ｄからなり、その正面側が前記左右の扉７Ｒ、７Ｌによって開閉する構造になっている。また、図示は省略するが、このキャビネット本体６の上面は開口していて、その開口部を塞ぐように前記カウンタートップ５が当該キャビネット本体６に着脱自在に組み付けられている。
【００２５】
左右の扉７Ｒ、７Ｌは、キャビネット本体６のそれぞれの側板６Ａ、６Ｂに図示しないヒンジを介して取り付けられており、右側の扉７Ｒを開くことにより、前述の食品又はキッチン用品収納室９Ａが現れ、左側の扉７Ｌを開くことにより、前述の洗濯機収容室９Ｂが現れる。
【００２６】
仕切り板１０は、キャビネット本体６の底板６Ｄと背板６Ｃに一体に取り付け固定されることで、そのキャビネット本体６内を前述のように２つの室（食品又はキッチン用品収納室９Ａと洗濯機収容室９Ｂ）に仕切っている。
【００２７】
また、この仕切り板１０には、水栓４の配管部から洗濯機収容室９Ｂに給水ホース１３Ａを導くための貫通孔１４（図４参照）を形成してある。
【００２８】
前記仕切り板１０によって仕切り形成される洗濯機収容室９Ｂは、市販の洗濯機Ｗとして３．３ｋｇ仕様の全自動洗濯機を収容できる大きさを有しているが、この大きさに限定されることはない。洗濯機Ｗの大きさに応じて洗濯機収容室９Ｂの大きさも適宜変更することができる。
【００２９】
洗濯機設置台１１は、図３に示したように、プレート１１Ａの周囲に枠１１Ｂを一体に形成してなる構造であって、その枠１１Ｂの内側に洗濯機Ｗからの漏水を捕集する防水パンとしての機能を備えている。
【００３０】
戸車１５は、その転がり動作で洗濯機設置台１１を引き出しやすくする機能と、洗濯機設置台１１上に設置される洗濯機Ｗの重量を受けることによってスライド手段１２に加わる洗濯機Ｗの重量負荷を軽減する機能を有している。この戸車１５は１個でもよく、複数設けてもよい。
【００３１】
スライド手段１２は、図４に示したように一対のガイド１２Ａ、１２Ｂと、このガイド１２Ａ、１２Ｂにスライド可能に嵌合する一対のレール１２Ｃ、１２Ｄからなり、一方のレール１２Ｃは仕切り板１０に取り付け固定し、他方のレール１２Ｄはその仕切り板１０に対向するキャビネット本体６の側板６Ａに取り付け固定してある。また、一方のガイド１２Ｂは洗濯機設置台１１の一側面に取り付け、他方のガイド１２Ｂはその洗濯機設置台１１の反対の側面に取り付けてある。
【００３２】
本ミニキッチン１では、カウンタートップ５の上方に２段の吊り戸棚１６と水切り棚１７を設けているが、これらのいずれか一方を設ける構成を採用することもできる。また、食品又はキッチン用品収納室９Ａの扉７Ｒの裏面にはポケット１８が設けられており、包丁等のように柄の付いたキッチン用品は、このポケット１８に差し込み引っ掛けて保管できるようにしてある。
【００３３】
次に、前記のように構成された本ミニキッチン１の使用例について図１ないし図３を基に説明する。
【００３４】
図１の本ミニキッチン１は、例えばワンルーム賃貸住宅等、延床面積の小さい住宅の部屋内に設置して使用される。使用の準備作業は以下の通りである。
【００３５】
設置したミニキッチン１の左の扉７Ｌを開くと、洗濯機収容室９Ｂが現れ、そこに洗濯機設置台１１があるので、洗濯機設置台１１を手前に引き出し、引き出した洗濯機設置台１１の上に洗濯機Ｗを置く。
【００３６】
次に、図３のように洗濯機Ｗの排水ホース１３Ｂをキッチン床面Ｆの洗濯機用排水口１９に挿入する。洗濯機用排水口１９がない場合はシンク３のために設けている図示しない排水口を利用することができる。続いて、図４に示す給水ホース１３Ａを洗濯機Ｗの図示しない給水口に接続する。そして最後に、洗濯機Ｗの電源端子を図示しない電源コンセントに接続すれば、洗濯機Ｗは使用できる状態になる。
【００３７】
洗濯機Ｗを実際に使用するときは、図１、図３のように扉７Ｌを開き、洗濯機収容室９Ｂから洗濯機Ｗを手前に引っ張って引き出せばよい。洗濯が完了したら、洗濯機Ｗから洗濯物を取り出した後、洗濯機Ｗを洗濯機収容室９Ｂ内へ押し戻し、扉７Ｌを閉める。扉７Ｌを閉めることによって、洗濯機Ｗは隠れて外部から見えなくなるから、一見すると普通のキッチンのような見栄えになり、洗濯機の存在が圧迫感を与えたり、ミニキッチン１全体の見栄えを害したりすることもない。
【００３８】
以上説明した本実施形態のミニキッチン１にあっては、その具体的なミニキッチン構造として、キャビネット本体６の内部を仕切り板１０での２室、すなわち食品又はキッチン用品収納室９Ａと洗濯機収容室９Ｂとに仕切り、洗濯機収容室９Ｂに洗濯機設置台１１を置いて洗濯機Ｗを収容する構造を採用した。このため、従来のワンルーム賃貸住宅等、延床面積の小さい住宅のベランダや外廊下に置かれていた洗濯機は、本ミニキッチンの中にすっきりと収まった形で部屋の中に置かれるから、洗濯機を部屋の中に置いても、部屋を広く使うことができる。
【００３９】
先に説明した実施形態では、スライド手段１２と戸車１５の双方を備えていたが、図５のように、かかるスライド手段１２を省略して、戸車１５のみを備える構成を採用してもよい。この場合、洗濯機設置台１１上に置かれる洗濯機Ｗの安定性との関係から、戸車１５は複数設けるのが好ましい。
【図面の簡単な説明】
【００４０】
【図１】本考案のミニキッチン構造を適用したミニキチン（左右の扉を開いた状態）の一実施形態を示す透視図。
【図２】図１のミニキッチンにおいて左右の扉を閉じた状態の説明図。
【図３】図１のミニキッチンに洗濯機を収容する前の状態の説明図。
【図４】図１のミニキッチンを構成するキャビネットの正面断面図。
【図５】本考案のミニキッチン構造を適用したミニキチンの他の実施形態を示す正面断面図。
【符号の説明】
【００４１】
１  ミニキッチン
２  加熱調理機器
３  シンク
４  水栓
５  カウンタートップ
６  キャビネット本体
６Ａ、６Ｂ  キャビネット本体の左右の側板
６Ｃ  キャビネット本体の背板
６Ｄ  キャビネット本体の底板
７Ｒ、７Ｌ  左右の扉
８  扉の閉合せ部
９Ａ  食品又はキッチン用品収容室
９Ｂ  洗濯機収容室
１０  仕切り板
１１  洗濯機設置台
１１Ａ  プレート
１１Ｂ  枠
１２  スライド手段
１３Ａ  給水ホース
１３Ｂ  排水ホース
１４  貫通孔
１５  戸車
１６  吊り戸棚
１７  水切り棚
１８  ポケット
１９  洗濯機用排水口
Ｆ  キッチン床面
Ｗ  洗濯機
【図１】
0003148951.tif 000003
【図２】
0003148951.tif 000004
【図３】
0003148951.tif 000005
【図４】
0003148951.tif 000006
【図５】
0003148951.tif 000007